(57)【要約】【課題】天吊り型空調用ユニットのうち、特に重量が大きい中大型の空調用ユニットを、清掃又は洗浄等のため、天井面から容易に取り外し可能にする。【解決手段】天吊り型ユニットクーラ１０は、内部に冷却媒体が流れる伝熱管２４と、伝熱管２４に面した風路ｗを形成するケーシング本体１２と、ケーシング本体１２に取り付けられ、通風路ｗに送風するファン２３とを有し、天井壁１０２に固定される。天吊り型ユニットクーラ１０は、第１の固定手段によって天井壁１０２に固定される固定金具８０の領域ｒ１と、天吊り型ユニットクーラ１０を天井壁１０２から取り外すとき、第２の固定手段によって取外し冶具７０に固定される固定金具８０の領域ｒ２とを備えている。領域ｒ１は天吊り型ユニットクーラ１０の上部に設けられる。【選択図】図１
2015129604.tif 000002
【特許請求の範囲】
【請求項１】
内部に熱交換媒体が流れる伝熱管と、該伝熱管に面した風路を形成するケーシング本体と、該ケーシング本体に取り付けられ、該風路に送風するファンとを有し、天井面に固定される天吊り型空調用ユニットであって、
前記ケーシング本体上部の周囲に複数設けられ、夫々固定具によって天井面に固定される第１の固定部と、
前記ケーシング本体に複数設けられ、前記天吊り型空調用ユニットを取外し冶具を用いて天井面から取り外すとき、夫々固定具によって前記取外し冶具に固定される第２の固定部とを備えていることを特徴とする天吊り型空調用ユニット。
【請求項２】
前記ケーシング本体は、
前記風路の下面を形成するドレンパンと、
前記風路の上面を形成する天板と、
前記ファンが取り付けられたファンケーシングとを有し、
前記ドレンパン、前記天板又は前記ファンケーシングの少なくとも一つが前記風路を外部に対して開放する方向へ前記ケーシング本体に回動可能に軸支されていることを特徴とする請求項１に記載の天吊り型空調用ユニット。
【請求項３】
前記取外し冶具は、
前記第２の固定部に固定される第３の固定部を有する複数の支持枠と、
前記複数の支持枠が立設され、前記天吊り型空調用ユニットの取外し時に前記ケーシング本体の下方に配置される台座とで構成されていることを特徴とする請求項１又は２に記載の天吊り型空調用ユニット。
【請求項４】
前記第１の固定部及び前記第２の固定部が一体に形成されていることを特徴とする請求項１に記載の天吊り型空調用ユニット。
【請求項５】
前記第１の固定部及び前記第２の固定部は前記天井面と同一高さの平坦な上面を有する板状体で構成されていることを特徴とする請求項４に記載の天吊り型空調用ユニット。
【請求項６】
前記伝熱管の入口に着脱可能に接続される熱交換媒体導入管と、
前記伝熱管の出口に着脱可能に接続される熱交換媒体導出管と、
前記伝熱管の入口と前記熱交換媒体導入管との接続部、及び前記伝熱管の出口と前記熱交換媒体導出管との接続部に直列に設けられた少なくとも２個の開閉弁と、
前記２個の開閉弁の間の前記接続部に形成された開閉弁付き排出口とを備えていることを特徴とする請求項１乃至５の何れか１項に記載の天吊り型空調用ユニット。
【請求項７】
前記天吊り型空調用ユニットの取外し時、前記２個の開閉弁の間の前記接続部に存在する熱交換媒体を前記排出口を介して回収し、
前記天吊り型空調用ユニットの取付け時、前記２個の開閉弁との間の前記接続部に存在する空気を前記排出口を介して除去することを特徴とする請求項６に記載の天吊り型空調用ユニット。
【発明の詳細な説明】
【技術分野】
【０００１】
本発明は、清掃、洗浄等のメンテナンス作業を行う場合、天井面との取外し及び取付けを容易にした天吊り型空調用ユニットに関する。
【背景技術】
【０００２】
空調用ユニットは、熱媒又は冷媒などの熱交換媒体、二次媒体としてのブライン又は冷温水などが循環する蛇行形状の伝熱管と、該伝熱管の周囲に空気流を形成するファン及びその駆動装置で構成されている。空調用ユニットのうち、例えば食品加工工場などに設置される中大型の産業用ユニットクーラは、通常天井面に吊下げ固定される。
天吊り型ユニットクーラは、伝熱管の周囲に空気流を形成するため、遮蔽板で伝熱管を囲うように風路が形成されている。
【０００３】
天吊り型ユニットクーラは、清掃や洗浄等のメンテナンス時に、天井面に取り付けた状態で、遮蔽板の内側に配置されている複雑な形状の伝熱管を清掃又は洗浄するのは困難でるため、天井面から取り外し床面まで降ろして清掃や洗浄を行う必要がある。
【０００４】
特許文献１には、ファンケーシングと伝熱管を内蔵したコイルケーシングとを固定用ねじによって着脱自在にした空調用ファンコイルユニットが開示されている。このファンコイルユニットは、ファンケーシング又はコイルケーシングに穿設された固定用穴を小径穴及び大径穴からなるだるま形に形成している。そして、内部洗浄時に、まず固定用ねじを緩めた後、固定用ねじの頭部が大径穴に来るようにし、その後ファンケーシングをコイルケーシングから引き離すようにしている。このように、ファンケーシングの重量を固定用ねじにあずけることで、取外し作業が楽になるようにしている。
【先行技術文献】
【特許文献】
【０００５】
【特許文献１】特開２００１−３３０６０号公報
【発明の概要】
【発明が解決しようとする課題】
【０００６】
特許文献１に開示された取外し方法は、固定用ねじの強度の観点から軽量の空調用ユニットのみに適用できるものであり、重量が大きい中大型の産業用ユニットクーラには適用できない。産業用ユニットクーラは５０ｋｇ以上の重量があり、人力のみで取り外すことは困難であり、産業用ユニットクーラを支える大掛かりな構造物が必要となる。
【０００７】
本発明は、前記問題点に鑑みなされたものであり、空調用ユニットのうち、特に重量が大きい中大型の空調用ユニットを、清掃又は洗浄等のメンテナンスのため、天井からの取外し及び取付けを容易にすることを目的とする。
【課題を解決するための手段】
【０００８】
本発明は、内部に熱交換媒体が流れる伝熱管と、該伝熱管に面した風路を形成するケーシング本体と、該ケーシング本体に取り付けられ、該風路に送風するファンとを有し、天井面に固定される天吊り型空調用ユニットに適用される。
本発明は、前記目的を達成するため、ケーシング本体上部の周囲に複数設けられ、夫々固定具によって天井面に固定される第１の固定部と、ケーシング本体に複数設けられ、天吊り型空調用ユニットを取外し冶具を用いて天井面から取り外すとき、夫々固定具によって取外し冶具に固定される第２の固定部とを備えている。
【０００９】
本発明に係る天吊り型空調用ユニットを天井から取り外す際には、リフト装置を使って取外し冶具を天吊り型空調用ユニットまで上昇させ、第１の固定部と天井面との固定を解除する。次に、第２の固定部を取外し冶具に固定し、天吊り型空調用ユニットを第２の固定部を介して取外し冶具に支持させる。この状態で、取外し冶具を下降させて天吊り型空調用ユニットを床面に降ろし、天吊り型空調用ユニットの清掃又は洗浄等を行う。
【００１０】
このように、本発明の天吊り型空調用ユニットは、第１の固定部及び第２の固定部を備えているため、天井面からの取外し作業及び取外し冶具への固定作業が容易になる。そのため、天井面からの取外しを短時間で容易に行うことができ、これによって、清掃や洗浄等のメンテナンス作業が容易になる。
なお、本発明の天吊り型空調用ユニットでは、伝熱管を流れる熱交換媒体は、乾式蒸発器を用いた直膨方式のヒートポンプ装置又は冷凍機を用いる場合は、例えば、ＣＯ２、ＮＨ３、代替フロン等の熱媒又は冷媒である。あるいはブライン、冷温水などが循環する二次冷媒回路を有する場合、ブライン、冷温水などが伝熱管に循環する。
【００１１】
本発明の一実施態様として、ケーシング本体は、風路の下面を形成するドレンパンと、風路の上面を形成する天板と、ファンが取り付けられたファンケーシングとを有し、ドレンパン、天板又はファンケーシングの少なくとも一つが風路を外部に対して開放する方向へ回動可能に軸支されている。
これによって、メンテナンス時に風路を開放することで、風路内に配置された伝熱管のメンテナンス作業が容易になる。
【００１２】
本発明の一実施態様において、取外し冶具は、第２の固定部に固定される第３の固定部を有する複数の支持枠と、これらの支持枠が立設され、天吊り型空調用ユニットの取外し時にケーシング本体の下方に配置される台座とで構成されている。
これによって、取外し冶具の構成を簡易かつ低コスト化できると共に、リフト装置を台座の下面に配置して取外し冶具を持ち上げることができ、天吊り型空調用ユニットの昇降が容易になる。
【００１３】
本発明の一実施態様は、第１の固定部及び第２の固定部が一体に形成されている。これによって、第１の固定部及び第２の固定部を簡易かつ低コスト化できる。
さらに、前記実施態様において、第１の固定部及び第２の固定部を天井面と同一高さの平坦な上面を有する板状体で構成することができる。これによって、天井面と第１の固定部との着脱、及び第２の固定部と取外し冶具との着脱が容易になる。
【００１４】
本発明の一実施態様は、伝熱管の入口に着脱可能に接続される熱交換媒体導入管と、伝熱管の出口に着脱可能に接続される熱交換媒体導出管と、伝熱管の入口と熱交換媒体導入管との接続部、及び伝熱管の出口と熱交換媒体導出管との接続部に直列に設けられた少なくとも２個の開閉弁と、これら２個の開閉弁の間の接続部に形成された開閉弁付き排出口とを備えている。
【００１５】
前記構成において、天吊り型空調用ユニットの天井面からの取外し時及び天井面への再取付け時には、前記２個の開閉弁は閉じられる。
そして、天吊り型空調用ユニットの取外し時、２個の開閉弁の間の接続部に存在する熱交換媒体は前記排出口を介して除去される。そのため、取外し時に天吊り型空調用ユニットから回収する熱交換媒体を必要最小限に留めることができ、天吊り型空調用ユニットの再稼働時の熱交換媒体の劣化を防止できる。また、熱交換媒体の回収量を最小限にでき、廃却される熱交換媒体量を最小限に留めることができる。
【００１６】
また、天吊り型空調用ユニットの再取付け時、２個の開閉弁の間の接続部に存在する空気を排出口を介して除去することができる。そのため、再取外し時、空気の除去作業を簡素化できると共に、伝熱管に存在した熱交換媒体の劣化を最小限に留めることができる。
【発明の効果】
【００１７】
本発明によれば、天吊り型空調用ユニット、特に重量が大きい中大型の空調用ユニットを、清掃又は洗浄等のメンテナンス作業のため、天井に対し容易かつ短時間で取外し及び取付けが可能となる。そのため、天吊り型空調用ユニットの清掃や洗浄が容易になる。
【図面の簡単な説明】
【００１８】
【図１】本発明の第１実施形態に係る天吊り型ユニットクーラの正面図である。
【図２】前記天吊り型ユニットクーラの側面視断面図である。
【図３】前記天吊り型ユニットクーラの取外し方法を示す斜視図である。
【図４】図３中のＡ矢視方向から視た図である。
【図５】前記天吊り型ユニットクーラが取り付けられた空調室の全体図である。
【図６】前記実施形態の変形例を示す模式図である。
【発明を実施するための形態】
【００１９】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００２０】
（実施形態１）
本発明の一実施形態に係る産業用天吊り型ユニットクーラ及びその取外し方法を図１〜図５に基づいて説明する。図１及び図２において、食品加工工場などに設けられた空調室１００の天井壁１０２に本実施形態に係る天吊り型ユニットクーラ１０が取り付けられている。天吊り型ユニットクーラ１０は内部に風路ｗが形成されるケーシング本体１２を有している。ケーシング本体１２は、風路ｗの上面を形成する平坦で長方形状の薄い天板１４と、風路ｗの下面を形成するドレンパン１６と、風路ｗの入口及び出口に設けられた仕切板１７及び１９と、風路ｗの側面を仕切る側板２０及び２１とで構成されている。仕切板１７には網状ルーバ１８が形成されている。
【００２１】
仕切り板１９には２箇所に正方形の開口が形成され、該開口を塞ぐようにファンケーシング２２が取り付けられ、ファンケーシング２２にファン２３が取り付けられている。ファン２３の稼働により風路ｗで空気流ａが矢印方向に形成される。なお、仕切り板１９に形成される開口は円形であってもよい。
【００２２】
図２に示すように、天板１４は仕切板１９に設けられたヒンジ部１４ａを中心に上方へ回動可能に構成されている。ファンケーシング２２はヒンジ部２２ａを中心に仕切り板１９に対して回動可能に構成されている。ドレンパン１６は仕切板１９に設けられたヒンジ部１６ａを介してケーシング本体１２に対し下方へ回動可能に構成されている。蛇行状に何回も曲折した伝熱管２４は風路ｗに面するように配置され、側板２０及び２１間に架設されている。
【００２３】
かかる構成によって、天吊り型ユニットクーラ１０の清掃時又は洗浄時に、風路ｗの上面、下面及び一側面の三面を外部に開放できるので、ケーシング本体１２の内部に設けられた伝熱管２４の清掃又は洗浄が容易になる。
【００２４】
ドレンパン１６の底面は風路ｗの出口から入口に向けて下方に傾斜しており、傾斜面の下端にドレン排出管２６が設けられている。デフロスト運転時などで、ドレンパン１６に溜まった融解水はドレン排出管２６から外部に排出される。
【００２５】
図１において、伝熱管２４の入口はフランジ２８を介してブライン導入管３２に接続され、伝熱管２４の出口はフランジ３０を介してブライン導出管３４に接続されている。伝熱管２４の入口（フランジ２８より伝熱管側部位）に開閉弁３６が設けられ、伝熱管２４の出口（フランジ３０より伝熱管側部位）に開閉弁３８が設けられている。ブライン導入管３２及びブライン導出管３４の他端は、空調室１００の外側近傍の床面１０４に設けられた冷凍機４０に接続されている。
【００２６】
冷凍機４０は、一次冷媒として、例えばＮＨ３などの冷媒が矢印方向へ循環する一次冷媒回路４１を有している。一次冷媒回路４１に、圧縮機４２、凝縮器４３、レシーバ４５、膨張弁４６及びブライン熱交換器４７等の冷凍サイクル構成機器が設けられている。凝縮器４３で一次冷媒を冷却し加温された冷却水は冷却塔４４で冷却される。
熱交換器４７とブラインタンク５０との間に、ブラインポンプ４９を有するブライン循環路４８が接続されている。ブライン循環路４８を循環するブラインはブライン熱交換器４７で一次冷媒によって冷却された後、ブラインタンク５０に貯留される。
【００２７】
ブライン導入管３２及びブライン導出管３４はブラインタンク５０に接続されている。ブライン導入管３２にブラインポンプ５１が設けられ、一次冷媒によって冷却されブラインタンク５０に貯留されたブラインは、ブライン導入管３２を介して伝熱管２４に導入される。伝熱管２４を循環するブラインは風路ｗを流れる空気流ａを冷却する。空気流ａの冷却に供された後のブラインは、ブライン導出管３４を通ってブラインタンク５０に戻される。
【００２８】
ブライン導入管３２には、フランジ２８より上流部位に開閉弁５２が設けられ、ブライン導出管３４には、フランジ３０より下流部位に開閉弁５４が設けられている。ブライン導入管３２には開閉弁３６と開閉弁５２の間の領域Ｒ１に、開閉弁５３を有する排出口３２ａが設けられている。ブライン導出管３４には開閉弁３８と開閉弁５４の間の領域Ｒ２に、開閉弁５５を有する排出口３４ａが設けられている。
【００２９】
ファン２３の駆動モータ２３ａに電力を供給するために、ケーシング本体１２にターミナルボックス６２が設けられている。ターミナルボックス６２から防水コネクタ６４を介して駆動モータ２２ａに導電線６５が接続されている。
なお、図１では、１個の天吊り型ユニットクーラ１０のみ図示しているが、空調室１００には複数の天吊り型ユニットクーラ１０が配設されており、これらの天吊り型ユニットクーラ１０は冷凍機４０にブライン導入管３２及びブライン導出管３４を介して並列に接続されている。
【００３０】
次に、図３及び図４に基づいて、天吊り型ユニットクーラ１０の清掃、洗浄等のメンテナンス作業を行う時、天吊り型ユニットクーラ１０を空調室１００の天井壁１０２から取り外す方法を説明する。本実施形態に係る取外し方法は取外し冶具７０を用いる。
【００３１】
図３に示すように、取外し冶具７０は、水平方向に配置された台座７２と、台座７２の上面四隅に立設された４本の支柱７４で構成されている。台座７２は、ドレンパン１６より縦横に広い寸法を有する長方形の枠体で構成されている。各支柱７４は台座７２に対して直角方向に立設された一対の長尺板７６、７６と、長尺板７６、７６の上端に溶接などの手段で固着され水平方向の面を形成した固定板７８とで構成されている。支柱７４の上端付近で、２本の支柱７４間には補強バー７５が架設されている。ケーシング本体１２の４隅の仕切り板１７及び１９の上端に、断面Ｌ字形を有する４個の固定金具８０の一片が固着されている。
【００３２】
なお、天吊り型ユニットクーラ１０は天井壁１０２の下面に固定されているが、図３には、天井壁１０２の図示は省略されている。
【００３３】
図４に示すように、固定金具８０は、その平坦な上面が水平方向に配置され、かつ天板１４の上面と同一高さで連続した水平面を形成する位置に配置されている。各固定金具８０は一方の領域ｒ１に円形孔８２が形成されている。固定金具８０の円形孔８２が天井壁１０２に形成された円形孔８３とが一致するように配置され、これらの円形孔にボルト８４が挿入されている。固定金具８０の下面及び天井壁１０２の上面からボルト８４にナット８６及び８８が螺着され、ケーシング本体１２は天井壁１０２に固定されている。固定金具８０の他方の領域ｒ２に下面にスタッドボルト９０が植設されている。領域ｒ１によって第１の固定部が構成されている。
【００３４】
かかる構成において、以下の手順で天吊り型ユニットクーラ１０を取り外す。
（１）メンテナンス対象となる天吊り型ユニットクーラ１０の運転を停止させ、該天吊り型ユニットクーラ１０の開閉弁３６、３８、５２及び５４を閉じる。冷凍機４０及びメンテナンス作業を行わない他の天吊り型ユニットクーラ１０の運転は継続させる。
（２）開閉弁５３及び５５を開け、領域Ｒ１及びＲ２に存在するブラインを排出する。
（３）フランジ２８及び３０を切り離し、天吊り型ユニットクーラ１０とブライン導入管３２及びブライン導出管３４とを分離させる。
【００３５】
（４）フォークリスト９４などのリフト装置を用いて取外し冶具７０を天吊り型ユニットクーラ１０の位置まで上昇させる。
即ち、フォークリスト９４のフォーク９６を台座７２の下に挿入し、フォーク９６を上昇させて取外し冶具７０を上昇させる。そして、固定板７８の中央に形成された円形孔７８ａにスタッドボルト９０を挿入させ、この状態で固定板７８を固定金具８０の下面に接する位置まで上昇させる。この位置で一旦取外し冶具７０を停止させる。
その後、ナット９２をスタッドボルト９０に螺合させ、固定板７８を固定金具８０に固定する。固定金具８０の領域ｒ２で第２の固定部を構成している。
【００３６】
（５）ナット８８をボルト８４から外し、固定金具８０と天井壁１０２との結合を解除する。
（６）フォーク９６を下降させ、取外し冶具７０と共に、天吊り型ユニットクーラ１０を下降させ、床面に降ろす。
（７）図５に示すように、床面１０４に降ろした天吊り型ユニットクーラ１０を清掃したり、あるいは洗浄室１０６などに運び洗浄する。
【００３７】
次に、清掃、洗浄等のメンテナンス作業後に、天吊り型ユニットクーラ１０を天井壁１０２に取り付ける取付け工程を説明する。
取付け工程は取外し工程の逆の順序で行えばよい。即ち、
（１）スタッドボルト９０を円形孔７８ａに挿入し、スタッドボルト９０にナット９２を螺合させて、天吊り型ユニットクーラ１０を取外し冶具７０に固定する。その後、フォークリスト９４で取外し冶具７０と共に天吊り型ユニットクーラ１０を天井壁１０２の天井面に接する位置まで上昇させる。
【００３８】
（２）ボルト８４を円形孔８２及び８３に挿入し、天井壁１０２の上下両側からボルト８４にナット８６及び８８を螺着させ、天吊り型ユニットクーラ１０を天井壁１０２に固定する。
（３）ナット９２をスタッドボルト９０から外して、天吊り型ユニットクーラ１０と取外し冶具７０との結合を解除する。
（４）図１に示すように、フランジ５６によって排出口３２ａに空気吸引管５７を接続すると共に、フランジ５８によって排出口３４ａに空気吸引管５９を接続する。空気吸引管５７及び５９は真空ポンプ６０に接続されている。そして、開閉弁５３及び５５を開け、真空ポンプ６０を作動させて、領域Ｒ１及びＲ２を真空引きする。
これによって、これら領域に存在する空気を除去し、ブラインに気泡が混入するのを防止する。
【００３９】
（５）空気吸引管５７をブライン導入管３２から取り外し、空気吸引管５９をブライン導出管３４から取り外す。
（６）開閉弁３６、３８、５２及び５４を開放する。
【００４０】
本実施形態によれば、清掃又は洗浄時に、天井壁１０２と天吊り型ユニットクーラ１０との結合の解除と、天吊り型ユニットクーラ１０と取外し冶具７０との結合を簡単な操作で同時に行うことができ、天吊り型ユニットクーラ１０の取外しが容易である。また、その後の取付け作業も取外し工程と逆の手順で容易に行うことができる。
また、天板１４、ファンケーシング２２及びドレンパン１６をケーシング本体１２に回動可能に軸支することで、風路ｗを外部に開放でき、そのため、風路ｗに配置された伝熱管２４の清掃又は洗浄が容易になる。
【００４１】
また、取外し冶具７０は台座７２と台座７２の上面四隅に立設された支柱７４のみで構成され、支柱７４は長尺板７６と固定板７８とで構成されているので、取外し冶具７０の構成を簡易かつ低コスト化できる。
さらに、１個の固定金具８０に天井壁１０２との固定領域ｒ１（第１の固定部）と取外し冶具７０との固定領域ｒ２（第２の固定部）とが存在しているため、固定部の形成を簡易かつ低コスト化できる。また、固定金具８０の上面が天板１４と同一高さの平坦な連続面を形成しているので、天井面と固定金具８０との着脱が容易になる。
【００４２】
天吊り型ユニットクーラ１０の取外し工程及び取付け工程では、天吊り型ユニットクーラ１０を天井壁１０２から取り外す際に、４個の開閉弁３６、３８、５２及び５４を閉じる。そのため、これら開閉弁に囲まれた領域Ｒ１及びＲ２のみからブラインを回収すればよく、ブライン回収作業が容易になる。
取付け工程では、４個の開閉弁３６、３８、５２及び５４を閉じ、これら開閉弁で囲まれた領域Ｒ１及びＲ２を真空引きするので、伝熱管２４内に気泡や空気中の水分が混入するのを防止できる。
【００４３】
なお、本実施形態では、取外し工程又は取付け工程の途中で、天吊り型ユニットクーラ１０に取外し冶具７０を固定した状態でも、天板１４、ドレンパン１６及びファンケーシング２２を風路ｗを開放する方向へ回動することで、清掃や洗浄が可能になる。
また、本実施形態では、１個の固定金具８０で第１の固定部（固定領域ｒ１）及び第２の固定部（固定領域ｒ２）を兼用しているが、本発明では、第１の固定部及び第２の固定部を別々の位置に設けられた別々の固定金具で形成することもできる。この場合、第１の固定部は、天井面との固定のため、天吊り型ユニットクーラの上部に設ける必要があるが、第２の固定部の設置位置は特に制約を受けない。
【００４４】
また、本実施形態では、ファン２３を伝熱管２４の下流に配置し、吸引ファンとして使用しているが、代わりに、ファン２３を伝熱管２４の上流に配置し、押込みファンとして使用するようにしてもよい。
【００４５】
（実施形態２）
次に、本発明の第２実施形態を図６に基づいて説明する。本実施形態の冷凍機９８は、冷媒直膨方式の冷凍機９７を用いている。この冷凍機９７では、冷媒導入管９８を介して天吊り型ユニットクーラ１０の伝熱管２４に冷媒が送られる。伝熱管２４で空気流を冷却した冷媒は冷媒導出管９９を介して冷凍機９７に戻る。
【００４６】
冷凍機９７は、一次冷媒回路４１に、圧縮機４２、凝縮器４３、レシーバ４５、膨張弁４６及びブライン熱交換器４７等の冷凍サイクル構成機器が設けられている。凝縮器４３で一次冷媒を冷却し加温された冷却水は冷却塔４４で冷却される。膨張弁４６は天吊り型ユニットクーラ１０毎に設けられ、各膨張弁４６は天吊り型ユニットクーラ１０の近傍の冷媒導入管９８に設けられている。
【００４７】
なお、前記第１実施形態のフランジ２８、３０、５６及び５８、開閉弁３６、３８、５２、５３、５４及び５５、及び排出口３２ａ及び３４ａ等の部材は、本実施形態でも同様に伝熱管２４と冷媒導入管９８又は冷媒導出管９９との接続部に設けられている。冷媒導入管９８においては、これらの部材は伝熱管２４と膨張弁４６との間に設けられている。なお、図６ではこれら部材の図示は省略されている。その他の構成は第１実施形態と同一である。
【００４８】
本実施形態において、天吊り型ユニットクーラ１０の取外し工程は次の手順で行う。
（１）冷凍機９７及び他の天吊り型ユニットクーラ１０の運転を継続した状態で、メンテナンス作業の対象となる天吊り型ユニットクーラ１０の冷媒導入管９８に設けられた開閉弁５２を閉じる。そして、その他の開閉弁３６、３８及び５４を開けた状態で伝熱管２４内の冷媒を冷媒導出管９９を介して冷凍機９７に回収する。その後、メンテナンス作業の対象となる天吊り型ユニットクーラ１０の運転を停止する。
（２）開閉弁３６、３８及び５４を閉じ、排出口３２ａ及び３４ａに冷媒回収機（不図示）を接続し、開閉弁３６と開閉弁５２間のブライン導入管３２の領域、及び開閉弁３８と開閉弁５４間のブライン導入管３４の領域に存在する冷媒を回収する。
（３）第１実施形態における取外しステップ（３）〜（７）を行う。
取付け工程は取外し工程の逆の順序で第１実施形態と同様の手順で行えばよい。
【００４９】
本実施形態においても、前記実施形態と同様の作用効果を得ることができる。さらに加えて、メンテナンス作業の対象となる天吊り型ユニットクーラ１０に存在する冷媒を冷凍機９７に回収し再利用することができる。
なお、前記実施形態は、いずれも本発明を天吊り型ユニットクーラに適用した例であるが、本発明は、天吊り型ユニットクーラ以外の天吊り型空調用ユニット全般に適用できる。
【産業上の利用可能性】
【００５０】
本発明によれば、被空調室の天井に取り付けられた天吊り型空調用ユニットのうち、特に重量が大きい中大型の空調用ユニットを、清掃、洗浄等のメンテナンス時に、天井面との着脱が容易になり、メンテナンス作業を容易かつ効率化できる。
【符号の説明】
【００５１】
１０                                  天吊り型ユニットクーラ
１２                                  ケーシング本体
１４                                  天板
１４ａ                              ヒンジ部
１６                                  ドレンパン
１６ａ                              ヒンジ部
１７、１９                            仕切板
１８                                  網状ルーバ
２０、２１                            側板
２２                                  ファンケーシング
２２ａ                              ヒンジ部
２３                                  ファン
２３ａ                              駆動モータ
２４                                  伝熱管
２６                                  ドレン排出管
２８、３０、５６、５８                フランジ
３２                                  ブライン導入管
３４                                  ブライン導出管
３６、３８、５２、５４                開閉弁
４０、９７                            冷凍機
４１                                  一次冷媒回路
４２                                  圧縮機
４３                                  凝縮器
４４                                  冷却塔
４５                                  レシーバ
４６                                  膨張弁
４７                                  ブライン熱交換器
４８                                  ブライン循環路
５０                                  カスケードコンデンサ
５６、５８                            ブライン排出管
５７、５９                            空気吸引管
６０                                  真空ポンプ
７０                                  取外し冶具
７２                                  台座
７４                                  支柱
７６                                長尺板
７８                                固定板
８０                                  固定金具
８４                                  ボルト（第１の固定手段）
８６、８８                            ナット（第１の固定手段）
９０                                  スタッドボルト（第２の固定手段）
９２                                  ナット（第２の固定手段）
９４                                  フォークリスト
９６                                  フォーク
９８                                  冷媒導入管
９９                                  冷媒導出管
１００                                空調室
１０２                                天井壁
１０４                                床面
１０６                                洗浄室
ａ                                    空気流
ｒ１                                  領域（第１の固定部）
ｒ２                                  領域（第２の固定部）
ｗ                                    風路
【図１】
2015129604.tif 000003
【図２】
2015129604.tif 000004
【図３】
2015129604.tif 000005
【図４】
2015129604.tif 000006
【図５】
2015129604.tif 000007
【図６】
2015129604.tif 000008